(57)【特許請求の範囲】
【請求項１】
上端部に開口部が形成された箱状の角型容器本体と、
前記角型容器本体の上に配置されて前記開口部を閉塞する蓋部材と、
自身の長さと直交する断面形状が、前記蓋部材の周縁部と前記角型容器本体の開口部の上端部を挟むことができるように鋏形状に形成されると共に、自身の長さが前記蓋部材の辺部に沿って配置された締結部材と、
自身の上端部に折曲部が形成され、この折曲部が前記締結部材に係合する抑え部材を有し、前記締結部材を前記角型容器本体に向かう水平方向及び下側方向に向かって抑え付ける抑え機構とを備え、
前記抑え部材の前記折曲部が形成された上端部とは反対側の下端部は、前記角型容器本体に設けられた容器補強部材に係止されると共に、前記抑え機構はネジ締結手段の締付力により前記抑え部材の中央部を前記角型容器本体側及び下側に向かって抑え付けるようにした
ことを特徴とする角型密閉容器。
【請求項２】
前記抑え部材は、この下端部側に向かうにつれて前記角型容器本体から遠く離れるように傾いて配置されたことを特徴とする請求項１に記載の角型密閉容器。
【発明の詳細な説明】
【技術分野】
【０００１】
本発明は、その内部に形成される密閉空間に、例えば、低レベル放射性廃棄物等を収納するような角型密閉容器に関するものである。
【背景技術】
【０００２】
図１３から図１７は、従来の角型密閉容器２について説明するために参照する図である。従来の角型密閉容器２は、図１３に示すように、上端部に開口部４ａが形成された箱状の角型容器本体４と、この角型容器本体４の上に載せてその開口部４ａを閉塞する蓋部材６と、この蓋部材６の周縁部６ａと角型容器本体４の開口部４ａを挟みこんで両者間を締結する締結部材８を備えるようになっていた。
【０００３】
図１３の従来の角型密閉容器２における角型容器本体４は、図１５に示すように、その開口部４ａが、４つの辺部４ｅと、互いに隣接する辺部４ｅ，４ｅ間の隅部に形成された、その折曲げ半径Ｒの折曲部４ｄにより構成されるようになっていた。
【０００４】
図１５及び図１７に示すように、角型容器本体４の、その開口部４ａの上端部は外側下方に折り曲げられて、内側に芯金５を巻き込んだ芯金巻込部４ｃが形成され、この芯金巻込部４ｃにより開口部４ａの上端部は補強されていた。
【０００５】
そして、図１５及び図１７に示すように、角型容器本体４の外側面４ｂの、開口部４ａ寄りの上部には、外側面４ｂの外側を水平方向に一周するように、上下断面がＬ字状の開口部補強部材１２（容器補強部材）が巻付いて、溶接により角型容器本体４に一体的に固定されていた。
【０００６】
また、従来の角型密閉容器２における蓋部材６は、図１７に示すように、その周縁部６ａの裏側の凹部６ｂの内側に設けたシール材７を介して、角型容器本体４の開口部４ａの上端部の芯金巻込部４ｃの上に載置されるようになっていた。
【０００７】
そして、従来の角型密閉容器２における締結部材８は、図１４に示すように、Ｌ字型に形成されていて、蓋部材６と開口部４ａの四隅部それぞれの外側に、計４つ配置されていた。すなわち、図１６（ａ）に示すように、締結部材８を上方から見ると、２つの直線部が略直角に交差した角部８ｂを有するＬ字状に形成されていた。
【０００８】
締結部材８のＬ字状の２つの直線部の、互いに交差した角部８ｂと反対側の先端部には、締結金具１０が溶接等により一体的に設けられている。そして、図１６（ａ），（ｂ）に示すように、締結金具１０は、帯状の板部材を折り曲げて形成されていて、その一端部が締結部材８の上部に接触して（図１７参照）、その周りが溶接等により一体的に固定されていた。
【０００９】
そして、図１７に示すように、締結金具１０の他端部は円形状に折り曲げられ、その曲がった部分の内側に貫通孔１０ａが形成されていた。
【００１０】
締結部材８は、図１６（ｂ）及び図１７に示すように、その長さ方向と直交する上下断面が、凹部８ａから２つの上下先端部に向かって分岐した鋏形状（楔状）に形成されていた。
【００１１】
そして、締結部材８の上下断面の鋏形状の２つの上下先端部それぞれが、蓋部材６の周縁部６ａと、角型容器本体４の開口部４ａ上端部の芯金巻込部４ｃを挟んだ状態で、互いに長さ方向に隣接する２つの締結部材８それぞれの端部に設けられた一対の締結金具１０同士を、ボルト１４にナット１６をネジ締結させることにより、それぞれの端部が互いに長さ方向に近付くよう締め付けるようになっていた。
【００１２】
このことにより、図１７に示すように、締結部材８の上下断面の、鋏形状の２つに分岐したその先端部が、蓋部材６の周縁部６ａと、角型容器本体４の開口部４ａ上端部の芯金巻込部４ｃに、これらの水平方向外側から近付くことにより、蓋部材６の周縁部６ａと角型容器本体４の開口部４ａ上端部の芯金巻込部４ｃが、互いに上下方向に近付くように加圧されて圧着することにより、角型容器本体４の内部に密閉された空間を形成するようになっていた（例えば、特許文献１、２参照）。
【先行技術文献】
【特許文献】
【００１３】
【特許文献１】特開２０００−０８５７６５号公報
【特許文献２】特開２００５−３１５８０３号公報
【発明の概要】
【発明が解決しようとする課題】
【００１４】
しかしながら、従来の角型密閉容器２において、例えば角型容器本体４の容積をなるべく大きくしてその内部に収納できる容積を増大することを目的として、角型容器本体４の折曲部４ｄの折曲げ半径Ｒをより小さくした場合には、それに従い角型容器本体４の辺部４ｅの長さ寸法が大きくなるので、上記締結部材８による締結ではその抑え強度が不足して、蓋部材６が角型容器本体４の開口部４ａから離れてしまうおそれがあるという問題があった。
【００１５】
また、従来の角型密閉容器２における角型容器本体４の外形寸法を従来よりも大きくした場合にも、角型容器本体４の辺部４ｅの長さ寸法が大きくなるので上記問題と同様の問題が発生するため、角型容器本体４の外形寸法を大きくすることができないことにより、角型密閉容器２の外形寸法も大きくすることができないという問題があった。
【００１６】
そこで本発明は、上記問題点に鑑みて、角型容器本体の辺部の長さ寸法が大きくなっても、蓋部材の周縁部と角型容器本体の開口部の上端部が離れるのを防止することにより容器内部の密閉状態を保つことができる角型密閉容器を提供することを課題とするものである。
【課題を解決するための手段】
【００１７】
上記課題を解決するために、本発明による角型密閉容器は、
上端部に開口部が形成された箱状の角型容器本体と、
前記角型容器本体の上に配置されて前記開口部を閉塞する蓋部材と、
自身の長さと直交する断面形状が、前記蓋部材の周縁部と前記角型容器本体の開口部の上端部を挟むことができるように鋏形状に形成されると共に、自身の長さが前記蓋部材の辺部に沿って配置された締結部材と、
自身の上端部に折曲部が形成され、この折曲部が前記締結部材に係合する抑え部材を有し、前記締結部材を前記角型容器本体に向かう水平方向及び下側方向に向かって抑え付ける抑え機構とを備え、
前記抑え部材の前記折曲部が形成された上端部とは反対側の下端部は、前記角型容器本体に設けられた容器補強部材に係止されると共に、前記抑え機構はネジ締結手段の締付力により前記抑え部材の中央部を前記角型容器本体側及び下側に向かって抑え付けるようにしたことを特徴とするものである。
【００１９】
また、本発明による角型密閉容器は、
前記抑え部材は、この下端部側に向かうにつれて前記角型容器本体から遠く離れるように傾いて配置されたことを特徴とするものである。
【発明の効果】
【００２０】
このような本発明の角型密閉容器によれば、
上端部に開口部が形成された箱状の角型容器本体と、
前記角型容器本体の上に配置されて前記開口部を閉塞する蓋部材と、
自身の長さと直交する断面形状が、前記蓋部材の周縁部と前記角型容器本体の開口部の上端部を挟むことができるように鋏形状に形成されると共に、自身の長さが前記蓋部材の辺部に沿って配置された締結部材と、
自身の上端部に折曲部が形成され、この折曲部が前記締結部材に係合する抑え部材を有し、前記締結部材を前記角型容器本体に向かう水平方向及び下側方向に向かって抑え付ける抑え機構とを備えたことにより、
角型容器本体の辺部の長さ寸法が大きくなっても、蓋部材の周縁部と角型容器本体の開口部の上端部が離れるのを防止することにより容器内部の密閉状態を保つことができる。
【図面の簡単な説明】
【００２１】
【図１】本発明の一実施の形態に係る角型密閉容器２０の側面図である。
【図２】図１に示す角型密閉容器２０の上面図である。
【図３】図１に示す角型密閉容器２０における円部Ａを拡大して示す部分拡大図である。
【図４】図１に示す角型密閉容器２０の一部を構成する角型容器本体２２の側面図である。
【図５】図４に示す角型容器本体２２の上面図である。
【図６】図４に示す角型容器本体２２の下面図である。
【図７】図４に示す角型容器本体２２における円部Ｂを拡大して示す部分拡大図である。
【図８】図７に示す掛止部材３０を示す図であって、図８（ａ）はその正面図、図８（ｂ）はその側面図である。
【図９】図１に示す角型密閉容器２０の一部を構成する蓋部材２４を示す図であって、図９（ａ）はその上面図、図９（ｂ）はその正面図である。
【図１０】図１に示す角型密閉容器２０の一部を構成する締結部材２６を示す図であって、図１０（ａ）はその上面図、図１０（ｂ）はその正面図である。
【図１１】図１に示す角型密閉容器２０の一部を構成する抑え部材２８を示す図であって、図１１（ａ）はその正面図、図１１（ｂ）はその側面図である。
【図１２】図１に示す角型密閉容器２０の締結部材２６と抑え部材２８により、蓋部材２４の周縁部２４ａと角型容器本体２２の開口部２２ａの上端部の芯金巻込部２２ｃを締結する状態を拡大して示す部分拡大断面図である。
【図１３】従来の角型密閉容器２の側面図である。
【図１４】図１３に示す角型密閉容器２の上面図である。
【図１５】図１３に示す角型密閉容器２の一部を構成する角型容器本体４の上面図である。
【図１６】図１３に示す角型密閉容器２の締結部材８を示す図であって、図１６（ａ）はその上面図、図１６（ｂ）はその側面図である。
【図１７】図１３に示す角型密閉容器２の締結部材８により、蓋部材６の周縁部６ａと角型容器本体４の開口部４ａの上端部の芯金巻込部４ｃを締結する状態を拡大して示す部分拡大断面図である。
【発明を実施するための形態】
【００２２】
以下、本発明に係る角型密閉容器を実施するための形態について、図面に基づいて具体的に説明する。
図１ないし図１２は、本発明の一実施の形態に係る角型密閉容器２０について説明するために参照する図である。
【００２３】
本発明の一実施の形態に係る角型密閉容器２０は、図１から図３に示すように、上端部に開口部２２ａが形成された箱状の角型容器本体２２と、この角型容器本体２２の開口部２２ａの上に配置されてその開口部２２ａを閉塞する蓋部材２４を備えるようになっている。
【００２４】
そしてさらに、蓋部材２４の周縁部２４ａと角型容器本体２２の開口部２２ａの後述するような芯金巻込部２２ｃ（図１２参照）を、互いに上下方向に抑え付けて圧着することにより、角型容器本体２２の内部に、密閉された空間を形成する、締結部材２６と抑え部材２８を備えるようになっている。
【００２５】
上記締結部材２６は、図１，２に示すように、水平方向に長さを有し、上下断面におけるその形状が鋏形状に形成され（図３参照）、その長さ方向が、蓋部材２４の周縁部２４ａと、角型容器本体２２の開口部２２ａの上端部それぞれの、４つの辺部に沿って配置されるようになっている。
【００２６】
そして、図３に示すように、締結部材２６の上下断面の鋏形状の、凹部２６ａから上下２つに分岐したその先端部が、蓋部材２４の周縁部２４ａと角型容器本体２２の開口部２２ａの芯金巻込部２２ｃを挟んでいる状態で、抑え部材２８の折曲部２８ｂが締結部材２６に係合するようになっている。
【００２７】
角型容器本体２２の側板部３６に固定された掛止部材３０にその頭部３２ａが引っ掛けられたボルト３２と、ナット３４をネジ締結させて抑え部材２８を締め付けることにより、締結部材２６は抑え部材２８の折曲部２８ｂに押されて、蓋部材２４の周縁部２４ａと角型容器本体２２の開口部２２ａの芯金巻込部２２ｃを互いに上下方向に抑え付けて、蓋部材２４が角型容器本体２２の開口部２２ａを閉塞できるようになっている。
【００２８】
図４に示す角型密閉容器２０の角型容器本体２２は、軟鋼等を用いた金属製であり、蓋部材２４や締結部材２６、抑え部材２８等が設けられていない、上下両端が開口した四角筒状の状態から、側板部３６の下端部に底板部３８が溶接等により一体的に接合されることにより、側板部３６の下方の開口が閉塞されて上方の開口が開放された箱状に形成されている。
【００２９】
そして、角型容器本体２２の開口部２２ａは、図５に示すように、上面から見て四隅部が略直角に形成されているので、開口部２２ａは略ロの字状に形成されるようになっている。
【００３０】
そして、図４に示すように、角型容器本体２２の底板部３８の下側には脚部４０が設けられ、角型容器本体２２の開口部２２ａの上に蓋部材２４、締結部材２６、抑え部材２８等の必要な部材が取付けられた後に、その締結部材２６の上に別の角型容器本体２２の脚部４０を積み上げることができるようになっている。
【００３１】
図６に示すように、角型容器本体２２の脚部４０は、桁材４６，４８が縦横に配置されており、その桁材４６間には補強リブ５０が配置されていて、図４に示すように、それらが底板部３８の下面に溶接等により一体的に接合されている。
【００３２】
このため、図６に示すように、角型容器本体２２の底板部３８が補強されると共に、フォークリフトのフォークを図４に示す桁材４６間に差込む等により、角型密閉容器２０を容易に運ぶことができるように構成されている。
【００３３】
図１２に示すように、角型容器本体２２の側板部３６には、開口部２２ａの上端部を外側下方に折り曲げて、内側に芯金５を巻き込んだ芯金巻込部２２ｃが構成されている。この芯金巻込部２２ｃは、角型容器本体２２（側板部３６）の開口部２２ａの上端部を補強するようになっている。
【００３４】
そして、図４に示すように、角型容器本体２２の側板部３６には、その上端部に開口する開口部２２ａ側の上部において、側板部３６の水平断面におけるその外周を一周するように、上下断面がＬ字状の開口部補強部材４２（容器補強部材）が巻付いて一体的に固定されている。
【００３５】
開口部補強部材４２は、その上下断面のＬ字状の２つの辺部の内、側板部３６から略垂直方向（水平方向）に突き出した辺部において、図５に示すように、その先端面から略矩形状に切り欠かれた切欠部４２ａが、互いに長さ方向（図５中上下・左右方向）に間隔をおいて複数形成されるようになっている。
【００３６】
また、図５に示すように、角型容器本体２２の側板部３６には、開口部補強部材４２の切欠部４２ａそれぞれに水平方向に対向する位置に、掛止部材３０がそれぞれ設けられるようになっている。図５において掛止部材３０は、側板部３６に設けられた辺部３０ｄ（図８（ｂ）参照）の先端部が芯金巻込部２２ｃにより隠れていて、辺部３０ｅ（図８（ｂ）参照）の部分だけが見えている。
【００３７】
図８（ｂ）に示すように、角型容器本体２２の掛止部材３０は、その上下方向の断面形状が、その両端部がその中央部に対して略垂直に折れ曲がった、コの字状に形成されている。
【００３８】
そして、図７に示すように、掛止部材３０の折れ曲がった両端側の辺部３０ｄそれぞれが上下の位置に並ぶように配置されて、それぞれの辺部３０ｄの先端面３０ａが側板部３６の外側面に溶接されると共に、掛止部材３０の下端側の辺部３０ｄの下面が、開口部補強部材４２の上面に溶接されることにより、掛止部材３０は角型容器本体２２に一体的に固定されている。
【００３９】
図８（ａ）に示すように、掛止部材３０は、その上下方向の断面形状におけるコの字状の折れ曲がった両端側の辺部３０ｄ間を繋ぐ中央部の辺部３０ｅには、図中右側の縁部からその中央部に向かって凹んだＵ字状の切欠部３０ｂが形成されている。
【００４０】
図１２に示すように、上記切欠部３０ｂには、ボルト３２のオネジ部３２ｂが緩く挿通するようになっている。
【００４１】
このため、掛止部材３０は、その切欠部３０ｂにボルト３２のオネジ部３２ｂを挿し込んで、その掛止部材３０の内側面３０ｃにボルト３２の頭部３２ａの裏面（図中右側の面）が対向するように配置されて、ボルト３２の頭部３２ａを掛止部材３０の辺部３０ｅに係止できるようになっている。
【００４２】
また、角型容器本体２２には、図４に示すように、その側板部３６に取り付けられた開口部補強部材４２の、側板部３６から略垂直方向（水平方向）に突き出した辺部の下面から、角型容器本体２２の脚部４０の桁材４６，４８の上面にわたって伸びたコの字状の垂直補強部材４４が、側板部３６の水平断面における４つの辺部それぞれの外側面に２つずつ配置され、それぞれの接触部分において溶接等により側板部３６に一体的に固定されるようになっている。
【００４３】
一方、図１，２に示す角型密閉容器２０の蓋部材２４は、軟鋼等を用いた金属製であり、図９（ａ）に示すように、その平面形状が、角型容器本体２２の開口部２２ａと相似形のほぼ正方形に形成されており、その四隅部に丸いＲ部が形成されている。
【００４４】
そして、その蓋部材２４は、図１及び図３に示すように、角型容器本体２２の側板部３６の上端部の芯金巻込部２２ｃの上に載置されて、角型密閉容器２０の上端部の開口部２２ａを閉塞するようになっている。
【００４５】
図９（ａ）に示すように、この蓋部材２４の上面には、互いに離れて対向する位置に、中央側から外側に向かうにしたがって高さが高くなるよう傾斜した、２つの取っ手５６が溶接等により一体的に取付けられている。
【００４６】
この蓋部材２４の取っ手５６は、蓋部材２４の外側に装着された締結部材２６の上に別の角型密閉容器２０の角型容器本体２２の脚部４０を載せて、角型密閉容器２０同士を上下方向に積み重ねた際に、角型容器本体２２の脚部４０に接触しないような位置、幅寸法及び高さ寸法に形成されるようになっている。
【００４７】
図９（ａ）及び（ｂ）に示すように、蓋部材２４には、その周縁部２４ａの外形形状に沿うように、その下面から垂直方向に高さを有するリブ５２が設けられている。そして、蓋部材２４の平面方向におけるリブ５２の外形輪郭の内側の、蓋部材２４の下面にリブ５２と同程度の高さを有するリブ５４が格子状に設けられている。
【００４８】
蓋部材２４のリブ５２と５４は、図１２に示すように、蓋部材２４が角型容器本体２２の開口部２２ａを閉塞した際に、角型容器本体２２の開口部２２ａの内周面より内側に入り込むようになっている。
【００４９】
また、図１２に示すように、蓋部材２４の周縁部２４ａは、その上下方向の断面の先端部が図中下方向に折れ曲って形成されており、蓋部材２４の周縁部２４ａとリブ５２の外形輪郭との間に囲まれた領域には、図中上方に向かって凹んだ溝部２４ｂが形成されており、その溝部２４ｂ内に弾性体のシール材７を取付けるようになっている。
【００５０】
他方、角型密閉容器２０の締結部材２６は、軟鋼等を用いた金属製であり、図１０（ｂ）及び図１２に示すように、その上下方向の断面が凹部２６ａから上下２つの先端部に向かって分岐した鋏形状に形成されている。そして、図１０（ａ）に示すように、上から見た締結部材２６は、略直線状に長さを有して形成されている。
【００５１】
図３及び図１２に示すように、角型密閉容器２０の締結部材２６は、その凹部２６ａが、蓋部材２４の周縁部２４ａと角型容器本体２２の上端部の芯金巻込部２２ｃに水平方向に対向するように配置されて、それらにその外側から装着され、図２に示すように、締結部材２６の長さ方向が蓋部材２４の４つの辺部それぞれに沿って配置されるようになっている。
【００５２】
また、角型密閉容器２０の抑え部材２８は、軟鋼等を用いた金属製で、図１１（ａ）に示すように、小判を長く伸ばしたような形状に形成されている。
【００５３】
また抑え部材２８は、図１１（ｂ）に示すように、その上端部に折曲部２８ｂが形成されており、この折曲部２８ｂより図中下方の部分は単なる平板状の平板部２８ａとなっていて、この平板部２８ａの略中央部には、図１２に示すボルト３２のオネジ部３２ｂが緩く挿通する貫通孔２８ｃが形成されるようになっている。
【００５４】
図１２に示すように、抑え部材２８の折曲部２８ｂは、締結部材２６に対向する側の抑え面２８ｄが、締結部材２６の凹部２６ａより上半分の外側の、図中右下がりの傾斜面に沿って接触するように配置されている。
【００５５】
そして、抑え部材２８の平板部２８ａは、その貫通孔２８ｃにボルト３２のオネジ部３２ｂが挿通し、抑え部材２８の掛止部材３０に対向する対向面２８ｅの下端部が、開口部補強部材４２の切欠部４２ａに係合して、折曲部２８ｂが図中左側の締結部材２６に寄り掛かるように、抑え部材２８は全体として少し傾いて配置されている。
【００５６】
すなわち、抑え部材２８は、図１２に示すように、その下側に向かうにつれて角型容器本体２２の側板部３６の外側面から徐々に遠ざかるように、その平板部２８ａが鉛直方向に対して図中ｃ°だけ傾いて配置されるようになっている。
【００５７】
そして、ボルト３２の、抑え部材２８の貫通孔２８ｃを挿通して、抑え部材２８の平板部２８ａの外側面２８ｆから外側に突き出したオネジ部３２ｂの先端部に、ナット３４をネジ締結することにより、抑え部材２８は図１２中左方向と下方向の間の斜め方向に抑え付けられるようになっている。
【００５８】
抑え部材２８、掛止部材３０、ボルト３２、ナット３４及び開口部補強部材４２の切欠部４２ａは、全体として抑え機構を構成している。
【００５９】
このような抑え機構により、角型密閉容器２０の締結部材２６は、前記傾斜面に沿って接触した抑え部材２８の折曲部２８ｂの抑え面２８ｄにより、上記ネジ締結による締付力Ｆが加えられた状態となる。
【００６０】
このため、上記締付力Ｆの図１２中左方向に働く分力により締結部材２６は、蓋部材２４の周縁部２４ａと開口部２２ａの上端部の芯金巻込部２２ｃを互いに上下方向に近づけるような力を発揮して、両者は強固に抑え付けられて互いに締結されるようになっている。
【００６１】
このとき、図１２に示すように、角型容器本体２２の開口部２２ａの上端部の芯金巻込部２２ｃには、蓋部材２４の溝部２４ｂに取付けられたシール材７が圧着するようになっており、蓋部材２４は角型容器本体２２の開口部２２ａを閉塞して、角型容器本体２２の内部に密閉された空間が形成されるようになっている。
【００６２】
また、上記締付力Ｆの図１２中下側方向に働く分力により、締結部材２６と蓋部材２４は抑え機構ごとに同方向に抑え付けられるので、角型容器本体２２の辺部の長さ寸法が大きくなっても、抑え機構ごとに蓋部材２４のシール材７が角型容器本体２２の上端部の芯金巻込部２２ｃに抑え付けられるため、蓋部材２４の周縁部２４ａと角型容器本体２２の開口部２２ａの上端部が離れる方向への力に対する抑え強度を高めることができるようになっている。
【００６３】
このような本発明の一実施の形態に係る角型密閉容器２０によれば、角型容器本体２２の辺部の長さ寸法が大きくなっても、蓋部材２４の周縁部２４ａと角型容器本体２２の開口部２２ａの上端部が離れるのを防止することができるため、角型密閉容器２０内部の密閉状態を保つことができる。
【００６４】
また、このような本発明の一実施の形態に係る角型密閉容器２０によれば、角型容器本体２２の外形寸法を大きなものにすることができるので、角型密閉容器２０の外形寸法も大きなものにすることができる。
【００６５】
なお、上記本発明の一実施の形態に係る角型密閉容器２０においては、抑え部材２８が鉛直方向に対して図中ｃ°だけ傾いて配置され、そのｃ°が数度位の小さな角度に図示されていたが、そのｃ°は３０°位の大きな角度に設定されてもよい。
【００６６】
また、上記本発明の一実施の形態に係る角型密閉容器２０においては、図２に示すように、角型容器本体２２及び蓋部材２４は水平面内の外形形状が略正方形状に形成されるようになっていたが、その水平方向の外形形状が略矩形状に形成されるようになっていてもよい。
【００６７】
また、角型密閉容器２０の外形形状の設計変更に対応して種々の変更が可能であり、例えば、掛止部材３０や開口部補強部材４２の切欠部４２ａ、抑え部材２８の数を増減してもよく、又は、開口部補強部材４２に切欠部を設けないで、開口部補強部材４２の外形形状の辺部に直接抑え部材２８を係合させるようになっていてもよい。
【符号の説明】
【００６８】
２  角型密閉容器
４  角型容器本体
４ａ  開口部
４ｂ  外側面
４ｃ  芯金巻込部
４ｄ  折曲部
４ｅ  辺部
５  芯金
６  蓋部材
６ａ  周縁部
６ｂ  凹部
７  シール材
８  締結部材
８ａ  凹部
８ｂ  角部
１０  締結金具
１０ａ  貫通孔
１２  開口部補強部材
１４  ボルト
１６  ナット
２０  角型密閉容器
２２  角型容器本体
２２ａ  開口部
２２ｃ  芯金巻込部
２４  蓋部材
２４ａ  周縁部
２４ｂ  溝部
２６  締結部材
２６ａ  凹部
２８  抑え部材
２８ａ  平板部
２８ｂ  折曲部
２８ｃ  貫通孔
２８ｄ  抑え面
２８ｅ  対向面
２８ｆ  外側面
３０  掛止部材
３０ａ  先端面
３０ｂ  切欠部
３０ｃ  内側面
３０ｄ，３０ｅ  辺部
３２  ボルト
３２ａ  頭部
３２ｂ  オネジ部
３４  ナット
３６  側板部
３８  底板部
４０  脚部
４２  開口部補強部材
４２ａ  切欠部
４４  垂直補強部材
４６，４８  桁材
５０  補強リブ
５２，５４  リブ
５６  取っ手
【図１】
0005243574.tif 000002
【図２】
0005243574.tif 000003
【図３】
0005243574.tif 000004
【図４】
0005243574.tif 000005
【図５】
0005243574.tif 000006
【図６】
0005243574.tif 000007
【図７】
0005243574.tif 000008
【図８】
0005243574.tif 000009
【図９】
0005243574.tif 000010
【図１０】
0005243574.tif 000011
【図１１】
0005243574.tif 000012
【図１２】
0005243574.tif 000013
【図１３】
0005243574.tif 000014
【図１４】
0005243574.tif 000015
【図１５】
0005243574.tif 000016
【図１６】
0005243574.tif 000017
【図１７】
0005243574.tif 000018